(57)【要約】【課題】それぞれの液晶パネルを高精度に位置決めおよび固定でき、液晶パネルの欠けを防止でき、任意の液晶パネルを単独で容易に交換またはメンテナンスできるようにする。【解決手段】バックプレート１１０にそれぞれ固定された１段目のインナープレート１２０および２段目のインナープレート１４０によって液晶パネル１００ｉ，１００ｊを２段構成で配置し、１段目の液晶パネル１００ｉは、端面Ｅｉがインナープレート１２０によって、背面がバックプレート１１によって、それぞれ位置決めおよび固定されており、２段目の液晶パネル１００ｉは、端面Ｅｊがインナープレート１４０によって、背面がインナープレート１２０によって、それぞれ位置決めおよび固定されている。【選択図】　図３
2004117539.tif 000002
【特許請求の範囲】
【請求項１】
複数の液晶パネルによって構成された液晶パネル装置において、
２段に配置されたインナープレートによって上記複数の液晶パネルが２段構成で配置されていることを特徴とする液晶パネル装置。
【請求項２】
請求項１記載の液晶パネル装置において、
１段目の液晶パネルの端面が、１段目のインナープレートによって位置決めおよび固定されており、
２段目の液晶パネルの端面が、２段目のインナープレートによって位置決めおよび固定されている
ことを特徴とする液晶パネル装置。
【請求項３】
請求項２記載の液晶パネル装置において、
上記１段目のインナープレートおよび上記２段目のインナープレートならびにこれらのインナープレートがそれぞれ固定されたバックプレートによって上記複数の液晶パネルが２段構成で配置されており、
上記１段目の液晶パネルの背面が、上記バックプレートによって位置決めおよび固定されており、
上記２段目の液晶パネルの背面が、上記１段目のインナープレートによって位置決めおよび固定されている
ことを特徴とする液晶パネル装置。
【請求項４】
請求項１から３記載の液晶パネル装置において、１段目の液晶パネルと２段目の液晶パネルの継ぎ目において、両液晶パネルの端面が略面位置になっていることを特徴とする液晶パネル装置。
【請求項５】
請求項４記載の液晶パネル装置において、さらに上記１段目の液晶パネルの前面ガラス基板の前面と上記２段目の液晶パネルの背面ガラス基板の背面とが略面位置になっていることを特徴とする液晶パネル装置。
【請求項６】
請求項１から３記載の液晶パネル装置において、１段目の液晶パネルと２段目の液晶パネルの継ぎ目において、両液晶パネルの非表示領域が重なっていることを特徴とする液晶パネル装置。
【請求項７】
請求項６記載の液晶パネル装置において、上記継ぎ目において、上記両非表示領域が全幅領域で重なっていることを特徴とする液晶パネル装置。
【請求項８】
請求項６または７に記載の液晶パネル装置において、
上記継ぎ目において、上記１段目の液晶パネルの前面偏光板と上記２段目の液晶パネルの背面偏光板とが重なっており、
上記前面偏光板の前面と上記背面偏光板の背面とが略面位置になっている
ことを特徴とする液晶パネル装置。
【請求項９】
請求項６記載の液晶パネル装置において、
上記１段目の液晶パネルと上記２段目の液晶パネルの継ぎ目において、上記１段目の液晶パネルの前面ガラス基板と上記２段目の液晶パネルの背面ガラス板が非表示領域の偏光板が設けられていない一部幅領域で重なっており、
上記１段目の液晶パネルの前面ガラス基板の前面と上記２段目の液晶パネルの背面ガラス基板の背面とが略面位置になっている
ことを特徴とする液晶パネル装置。
【請求項１０】
請求項６または７に記載の液晶パネル装置において、
上記継ぎ目において、上記１段目の液晶パネルの前面偏光板と上記２段目の液晶パネルの背面ガラス基板とが重なるとともに、上記２段目の液晶パネルの背面偏光板と上記１段目の液晶パネルの前面ガラス基板とが重なっており、
上記前面偏光板の前面と上記背面ガラス基板の背面または／および上記背面偏光板の背面と上記前面ガラス基板の前面が略面位置になっている
ことを特徴とする液晶パネル装置。
【請求項１１】
請求項６記載の液晶パネル装置において、上記継ぎ目において、上記１段目の液晶パネルの前面ガラス基板と上記２段目の液晶パネルの背面ガラス基板の対向するエッジにそれぞれ面取りが施されていることを特徴とする液晶パネル装置。
【請求項１２】
請求項１１記載の液晶パネル装置において、上記面取りは、シール接着材に達しないように上記前面ガラス基板の端面のみおよび上記背面ガラス基板の端面のみに施されていることを特徴とする液晶パネル装置。
【請求項１３】
請求項１記載の液晶パネル装置において、上記インナープレートがアクリル板であることを特徴とする液晶パネル装置。
【請求項１４】
請求項１記載の液晶パネル装置において、
１段目のインナープレートまたは／および２段目のインナープレートが、１枚のプレートからなる
ことを特徴とする液晶パネル装置。
【請求項１５】
請求項１４記載の液晶パネル装置において、上記１枚のプレートに開口部が設けられており、この開口部に液晶パネルが挿嵌されていることを特徴とする液晶パネル装置。
【請求項１６】
請求項１記載の液晶パネル装置において、上記１段目のインナープレートまたは／および上記２段目のインナープレートが、互いに分離された複数のプレート部品によって構成されていることを特徴とする液晶パネル装置。
【請求項１７】
請求項１６記載の液晶パネル装置において、上記プレート部品は、位置基準のためのプレート部品と、このプレート部品に液晶パネルを押圧して位置決めおよび固定するためのプレート部品とによって構成されていることを特徴とする液晶パネル装置。
【発明の詳細な説明】
【０００１】
【発明の属する技術分野】
本発明は、複数の液晶パネルによって構成された液晶パネル装置に関する。
【０００２】
【従来の技術】
図１０は複数の液晶パネルによって構成された従来の液晶パネル装置においての液晶パネルの継ぎ目の断面構造図である。図１０において、液晶パネル１０ｉは、背面ガラス基板ＡＲｉと、前面ガラス基板ＣＦｉと、背面偏光板Ｂｉと、前面偏光板Ｆｉと、液晶ＬＣｉと、接着シール材ＳＬｉとを備えて構成されており、液晶パネル１０ｊは、背面ガラス基板ＡＲｊと、前面ガラス基板ＣＦｊと、背面偏光板Ｂｊと、前面偏光板Ｆｊと、液晶ＬＣｊと、接着シール材ＳＬｊとを備えて構成されている。
【０００３】
液晶パネル１０ｉにおいて、背面ガラス基板ＡＲｉの背面には、背面偏光板Ｂｉが設けられており、前面ガラス基板ＣＦｉの前面には、前面偏光板Ｆｉが設けられている。背面ガラス基板ＡＲｉの前面と前面ガラス基板ＣＦｉの背面とは、液晶パネル１０ｉの端面Ｅｉから所定の幅で周辺に設けられた接着シール材ＳＬｉによって接着されている。そして、液晶ＬＣｉは、背面ガラス基板ＡＲｉの前面および前面ガラス基板ＣＦｉの背面ならびに接着シール材ＳＬｉによって形成された空間に封入されている。
【０００４】
同様に、液晶パネル１０ｊにおいて、背面ガラス基板ＡＲｊの背面には、背面偏光板Ｂｊが設けられており、前面ガラス基板ＣＦｊの前面には、前面偏光板Ｆｊが設けられている。背面ガラス基板ＡＲｊの前面と前面ガラス基板ＣＦｊの背面とは、液晶パネル１０ｊの端面Ｅｊから所定の幅で周辺に設けられた接着シール材ＳＬｊによって接着されている。そして、液晶ＬＣｊは、背面ガラス基板ＡＲｊの前面および前面ガラス基板ＣＦｊの背面ならびに接着シール材ＳＬｊによって形成された空間に封入されている。
【０００５】
また、液晶パネル１０ｉ，１０ｊにおいて、接着シール材ＳＬｉ，ＳＬｊの設けられている周辺の領域は非表示領域ＮＥｉ，ＮＥｊであり、この非表示領域ＮＥｉ，ＮＥｊに囲まれた内部の領域（液晶ＬＣｉ，ＬＣｊが封入された領域）が表示領域ＤＥｉ，ＤＥｊである。
【０００６】
液晶パネル１０ｉと１０ｊは、バックプレート１１とカバープレート１２の間に、液晶パネル１０ｉの端面Ｅｉと液晶パネル１０ｊの端面Ｅｊを対向させて同じ高さで配置されている。
【０００７】
液晶パネルの継ぎ目の非表示領域の幅を、ほぼ液晶パネル１０ｉの非表示領域ＮＥｉの幅と液晶パネル１０ｊの非表示領域ＮＥｊの幅の合計、つまり液晶パネルの非表示領域の幅のほぼ２倍とするために、端面ＥｉとＥｊは近接してあるいは互いに接触して配置される。なお、液晶パネル１０ｉと１０ｊは、同じ高さに配置されるので、これらの液晶パネル間には視差を生じない。
【０００８】
このような従来の液晶パネル装置では、端面ＥｉとＥｊとを接着して液晶パネル１０ｉ，１０ｊを位置決めおよび固定する場合と、端面ＥｉとＥｊとを接着せずに液晶パネル１０ｉ，１０ｊを位置決めおよび固定する場合とがある。
【０００９】
また、このような従来の液晶パネル装置では、例えば、液晶パネル１０ｉをバックプレート１１に位置決めおよび固定し、この液晶パネル１０ｉの端面Ｅｉを基準にして、液晶パネル１０ｊを位置決めおよび固定する。
【００１０】
【特許文献１】
特開平８−２８６２０４号公報　（第２図）
【００１１】
【発明が解決しようとする課題】
しかしながら上記従来の液晶パネル装置では、液晶パネルを高精度に位置決めおよび固定できないという課題があった。液晶パネルを直接バックプレートに高精度に位置決めしたり、液晶パネルの端面を高精度に加工するのは、一般に困難である。液晶パネルの位置決めの交差は、例えば０．１５［μｍ］であるが、上記従来の液晶パネル装置では、この交差をクリアできないことがある。
【００１２】
さらに、上記従来の液晶パネル装置において、液晶パネルの継ぎ目で端面を接着しない構造では、液晶パネル装置に生じた振動等により対向する端面が互いに接触して、欠けを生じることがあるという課題があった。
【００１３】
また、上記従来の液晶パネル装置において、液晶パネルの継ぎ目で液晶パネル端面と端面を接着したり、非表示領域の背面または前面をバックプレートまたはカバープレートに接着して、液晶パネルを固定する構造では、液晶パネルを単独で取り外すことが難しくなるので、故障した液晶パネルを単独で交換またはメンテナンスするのが困難であるという課題があった。
【００１４】
本発明は、このような従来の課題を解決するためになされたものであり、それぞれの液晶パネルを高精度に位置決めおよび固定でき、液晶パネルの欠けを防止でき、任意の液晶パネルを単独で容易に交換またはメンテナンスできる液晶パネル装置を提供することを目的とするものである。
【００１５】
【課題を解決するための手段】
本発明の液晶パネル装置は、２段に配置されたインナープレートによって上記複数の液晶パネルが２段構成で配置されていることを特徴とするものである。
【００１６】
【発明の実施の形態】
実施の形態１
図１および図２は本発明の実施の形態１の液晶パネル装置の組立手順を説明する図である。図１（Ａ），（Ｂ），（Ｃ）および図２（Ｄ），（Ｅ），（Ｆ）は上面図であり、図１（ａ），（ｂ），（ｃ）および図２（ｄ），（ｅ），（ｆ）は、それぞれ図１（Ａ），（Ｂ），（Ｃ）および図２（Ｄ），（Ｅ），（Ｆ）の断面図である。これらの断面図の断面位置は、図１（Ａ）に示す点線位置である。
【００１７】
まず、図１（Ａ），（ａ）および図１（Ｂ），（ｂ）において、バックプレート１１０の前面にインナープレート１２０を固定する。バックプレート１１０およびインナープレート１２０は、例えば透明アクリル板である。
【００１８】
インナープレート１２０には、開口部１２１ａおよび１２２ａで構成された複合開口部と、開口部１２１ｃおよび１２２ｃで構成された複合開口部とが設けられている。また、インナープレート１２０には、２つのアライメントマーク１２３ｂおよび１２３ｄが設けられている。このインナープレート１２０は、合計１２本のネジ１２４によってバックプレート１１０に固定される。
【００１９】
次に、図１（Ｃ），（ｃ）において、バックプレート１１０に固定されたインナープレート１２０の開口部１２１ａ，１２１ｃに、それぞれ液晶パネル１００ａ，１００ｃを挿嵌する。これによって、液晶パネル１００ａ，１００ｃの４つの端面および４つのコーナーは、開口部１２１ａ，１２１ｃの４つの端面および４つのコーナーによってそれぞれ位置決めおよび固定され、液晶パネル１００ａ，１００ｃの背面は、バックプレート１１０によって位置決めおよび固定される。
【００２０】
さらに、開口部１２２ａ，１２２ｃ内にそれぞれＴＣＰ（Ｔａｐｅ　Ｃａｒｒｉｅｒ　Ｐａｃｋａｇｅ）１７０ａ，１７０ｃを取り付け、これらのＴＣＰ１７０ａ，１７０ｃをそれぞれ液晶１００ａ，１００ｃに接続する。ＴＣＰは、液晶パネルを駆動するための周辺回路が設けられている。
【００２１】
次に、図２（Ｄ），（ｄ）において、インナープレート１２０および液晶パネル１００ａ，１００ｃの前面にインナープレート１４０を固定する。インナープレート１４０は、例えば透明アクリル板である。
【００２２】
インナープレート１４０には、開口部１４１ｂおよび１４２ｂで構成された複合開口部と、開口部１４１ｄおよび１４２ｄで構成された複合開口部とが設けられている。また、インナープレート１４０には、２つのアライメントマーク１４３ｂおよび１４３ｄが設けられている。このインナープレート１４０は、アライメントマーク１４３ｂ，１４３ｄがインナープレート１２０のアライメントマーク１２３ｂ，１２３ｄにそれぞれ一致するように位置決めされ、合計８本のネジ１４４によってインナープレート１２０に固定される。
【００２３】
次に、図２（Ｅ），（ｅ）において、インナープレート１２０上に固定されたインナープレート１４０の開口部１４１ｂ，１４１ｄに、それぞれ液晶パネル１００ｂ，１００ｄを挿嵌する。これによって、液晶パネル１００ｂ，１００ｄの４つの端面および４つのコーナーは、開口部１４１ｂ，１４１ｄの４つの端面および４つのコーナーによってそれぞれ位置決めおよび固定され、液晶パネル１００ｂ，１００ｄの背面は、インナープレート１２０によって位置決めおよび固定される。
【００２４】
さらに、開口部１４２ｂ，１４２ｄにそれぞれＴＣＰ１７０ｂ，１７０ｄを取り付け、これらのＴＣＰ１７０ｂ，１７０ｄを液晶パネル１００ｂ，１００ｄにそれぞれ接続する。
【００２５】
次に、図２（Ｆ），（ｆ）において、インナープレート１４０および液晶パネル１００ｂ，１００ｄの前面にカバープレート１６０を固定する。カバープレート１６０は、例えば透明アクリル板である。このカバープレート１６０は、合計８本のネジ１６４によってバックプレート１１０に固定される。
【００２６】
以上の組立手順によって、４枚の液晶パネル１００ａ，１００ｂ，１００ｃ，１００ｄをインナープレート１２０，１４０によって２段に配置した実施の形態１の液晶パネル装置が完成する。
【００２７】
このように実施の形態１では、１段目の液晶パネル１００ａは、液晶パネル装置の右上の領域（第１象限とする）に配置され、１段目のもう１枚の液晶パネル１００ｃは、液晶パネル装置の左下の領域（第３象限とする）に配置され、２段目の液晶パネル１００ｂは、液晶パネル装置の左上の領域（第２象限とする）に配置され、２段目のもう１枚の液晶パネル１００ｄは、液晶パネル装置の右下の領域（第４象限とする）に配置されている。
【００２８】
また、１段目のインナープレートは１枚のインナープレート１２０で構成され、２段目のインナープレートも１枚のインナープレート１４０で構成されている。１段目のインナープレート１２０の第１象限，第３象限には、１段目の２枚の液晶パネル１００ａ，１００ｃが挿嵌される開口部１２１ａ，１２１ｃがそれぞれ設けられており、インナープレート１２０の第２象限，第４象限には、開口部は設けられていない。同様に、２段目のインナープレート１４０の第２象限，第４象限には、２段目の２枚の液晶パネル１００ｂ，１００ｄが挿嵌される開口部１４１ｂ，１４１ｄがそれぞれ設けられており、インナープレート１４０の第１象限，第３象限には、開口部は設けられていない。
【００２９】
従って、１段目の２枚の液晶パネル１００ａと１００ｃは対角位置に配置され、２段目の２枚の液晶パネル１００ｂと１００ｄも対角位置に配置されている。また、４枚の液晶パネル１００ａ，１００ｂ，１００ｃ，１００ｄの表示領域は互いに重ならず、１段目の２枚の液晶パネル１００ａ，１００ｃの表示領域は２段目のインナープレート１４０と重なり、２段目の２枚の液晶パネル１００ｂ，１００ｄの表示領域は１段目のインナープレート１２０と重なっている。
【００３０】
この実施の形態１では、１段目の液晶パネル１００ａは１段目のインナープレート１２０に設けられた開口部１２１ａに挿嵌され、この液晶パネル１００ａの４つの端面および４つのコーナーはインナープレート１２０によって開口部１２１ａの端面を基準にして位置決めおよび固定され、この液晶パネル１００ａの背面はバックプレート１１０によって位置決めおよび固定される。同様に、１段目の液晶パネル１００ｃは１段目のインナープレート１２０に設けられた開口部１２１ｃに挿嵌され、この液晶パネル１００ｃの４つの端面および４つのコーナーはインナープレート１２０によって開口部１２１ｃの端面を基準にして位置決めおよび固定され、この液晶パネル１００ｃの背面はバックプレート１１０によって位置決めおよび固定される。
【００３１】
また、２段目の液晶パネル１００ｂは２段目のインナープレート１４０に設けられた開口部１４１ｂに挿嵌され、この液晶パネル１００ｂの４つの端面および４つのコーナーはインナープレート１４０によって開口部１４１ｂの端面を基準にして位置決めおよび固定され、この液晶パネル１００ｂの背面はインナープレート１２０によって位置決めおよび固定される。同様に、２段目の液晶パネル１００ｄは２段目のインナープレート１４０に設けられた開口部１４１ｄに挿嵌され、この液晶パネル１００ｄの４つの端面および４つのコーナーはインナープレート１４０によって開口部１４１ｄの端面を基準にして位置決めおよび固定され、この液晶パネル１００ｄの背面はインナープレート１２０によって位置決めおよび固定される。
【００３２】
インナープレート１２０，１４０は例えばアクリル板であり、アクリル板には開口部１２１ａ，１２１ｃ１４１ｂ，１４１ｄを高い加工精度で設けることが可能である。また、アクリル板の厚さも、高精度に制御することが可能である。さらに、１段目のインナープレート１２０と２段目のインナープレート１４０とは、例えばそれぞれに設けたアライメントマーク１２３ｂ，１２３ｄとアライメントマーク１４３ｂ，１４３ｄによって、高精度に位置決めおよび固定することが可能である。
【００３３】
このように、４枚の液晶パネル１００ａ，１００ｂ，１００ｃ，１００ｄを高精度に加工可能なインナープレート１２０，１４０によって２段に配置することにより、液晶パネル１００ａ，１００ｂ，１００ｃ，１００ｄを高精度に位置決めおよび固定することができる。
【００３４】
さらに、この実施の形態１では、従来技術のように継ぎ目において液晶パネルの端面を近接対向してあるいは互いに接触して配置するのではなく、上記液晶パネルの２段配置によって、１段目の液晶パネル１００ａは、バックプレート１１０、１段目のインナープレート１２０、および２段目のインナープレート１４０には接触するが、継ぎ目において他の液晶パネル１００ｂ，１００ｃ，１００ｄには接触せず、２段目の液晶パネル１００ｂは、１段目のインナープレート１２０、２段目のインナープレート１４０、およびカバープレート１６０には接触するが、継ぎ目において他の液晶パネル１００ａ，１００ｃ，１００ｄには接触しない。１段目の液晶パネル１００ｃおよび２段目の液晶パネル１００ｄも同様に他の液晶パネルには接触しない。
【００３５】
このように、４枚の液晶パネル１００ａ，１００ｂ，１００ｃ，１００ｄをインナープレート１２０，１４０によってそれぞれ他の液晶パネルと接触しないように２段で配置することにより、接触による液晶パネルの欠けを防止できる。
【００３６】
また、この実施の形態１では、従来技術のように継ぎ目において液晶パネルの端面と端面を接着することなく、また液晶パネルをバックプレートまたはカバープレートに接着することもなく、４枚の液晶パネル１００ａ，１００ｂ，１００ｃ，１００ｄは、バックプレート１１０、インナープレート１２０，１４０、およびカバープレート１６０のみによって位置決めおよび固定されている。そして、これらのバックプレート１１０、インナープレート１２０，１４０、およびカバープレート１６０は、ネジ止めによって相互に位置決めおよび固定されている。
【００３７】
このように、４枚の液晶パネル１００ａ，１００ｂ，１００ｃ，１００ｄをバックプレート１１０、インナープレート１２０，１４０、およびカバープレート１６０のみによって固定することにより、ネジ止めを外すだけで液晶パネル１００ａ，１００ｂ，１００ｃ，１００ｄを単独で容易に取り外すことができるので、容易に液晶パネルの交換やメンテナンスができる。
【００３８】
図３は本発明の実施の形態１の液晶パネル装置においての液晶パネルの継ぎ目の断面構造図である。図３において、図１または図２と同じものには同じ符号を付してある。
【００３９】
図３において、１段目の液晶パネル１００ｉは、図１（Ｃ），（ｃ）の１段目の液晶パネル１００ａまたは１００ｃであり、２段目の液晶パネル１００ｊは、図２（Ｅ），（ｅ）の２段目の液晶パネル１００ｂまたは１００ｄである。
【００４０】
液晶パネル１００ｉは、背面ガラス基板ＡＲｉと、前面ガラス基板ＣＦｉと、背面偏光板Ｂｉと、前面偏光板Ｆｉと、液晶ＬＣｉと、接着シール材ＳＬｉとを備えて構成されており、液晶パネル１００ｊは、背面ガラス基板ＡＲｊと、前面ガラス基板ＣＦｊと、背面偏光板Ｂｊと、前面偏光板Ｆｊと、液晶ＬＣｊと、接着シール材ＳＬｊとを備えて構成されている。接着シール材ＳＬｉ，ＳＬｊは、例えばエポキシ樹脂である。
【００４１】
液晶パネル１００ｉにおいて、背面ガラス基板ＡＲｉの背面には、背面偏光板Ｂｉが設けられており、前面ガラス基板ＣＦｉの前面には、前面偏光板Ｆｉが設けられている。背面ガラス基板ＡＲｉの前面と前面ガラス基板ＣＦｉの背面とは、液晶パネル１０ｉの端面Ｅｉから所定の幅で周辺に設けられた接着シール材ＳＬｉによって接着されている。そして、液晶ＬＣｉは、背面ガラス基板ＡＲｉの前面および前面ガラス基板ＣＦｉの背面ならびに接着シール材ＳＬｉによって形成された空間に封入されている。
【００４２】
同様に、液晶パネル１００ｊにおいて、背面ガラス基板ＡＲｊの背面には、背面偏光板Ｂｊが設けられており、前面ガラス基板ＣＦｊの前面には、前面偏光板Ｆｊが設けられている。背面ガラス基板ＡＲｊの前面と前面ガラス基板ＣＦｊの背面とは、液晶パネル１０ｊの端面Ｅｊから所定の幅で周辺に設けられた接着シール材ＳＬｊによって接着されている。そして、液晶ＬＣｊは、背面ガラス基板ＡＲｊの前面および前面ガラス基板ＣＦｊの背面ならびに接着シール材ＳＬｊによって形成された空間に封入されている。
【００４３】
また、液晶パネル１００ｉ，１００ｊにおいて、接着シール材ＳＬｉ，ＳＬｊの設けられている周辺の領域は非表示領域ＮＥｉ，ＮＥｊであり、この非表示領域ＮＥｉ，ＮＥｊに囲まれた内部の領域（液晶ＬＣｉ，ＬＣｊが封入された領域）が表示領域ＤＥｉ，ＤＥｊである。
【００４４】
偏光板Ｂｉ，Ｆｉ，Ｂｊ，Ｆｊは、表示領域ＤＥｉ，ＤＥｊの全面に設けられており、偏光板Ｂｉ，Ｆｉ，Ｂｊ，Ｆｊの端面は、液晶パネル１００ｉ，１００ｊの非表示領域ＮＥｉ，ＮＥｊ内に位置している。
【００４５】
この実施の形態１では、１段目の液晶パネル１００ｉと２段目の液晶パネル１００ｊは、インナープレート１２０，１４０によって、１段目の非表示領域ＮＥｉと２段目の非表示領域ＮＥｊとが重ならず、端面ＥｉとＥｊとが略面位置となるように、厚さ方向と垂直な方向に配置および固定されている。
【００４６】
また、実施の形態１では、１段目の液晶パネル１００ｉと２段目の液晶パネル１００ｊは、インナープレート１２０，１４０によって、端面ＥｉとＥｊとが重ならず、前面ガラス基板ＣＦｉの前面と背面ガラス基板ＡＲｊの背面とが略面位置となるように、厚さ方向に配置および固定されている。
【００４７】
従って、この実施の形態１では、１段目の液晶パネル１００ｉと２段目の液晶パネル１００ｊの視差は、１段目の前面ガラス基板ＣＦｉおよび２段目の背面ガラス基板ＡＲｊの合計の厚さ、つまり偏光板を除いた液晶パネル１枚の厚さと略同じである。また、継ぎ目の非表示領域の幅は、液晶パネルの非表示領域の幅の略２倍である。
【００４８】
以上のように実施の形態１によれば、それぞれの液晶パネルを高精度に位置決めおよび固定でき、液晶パネルの欠けを防止でき、任意の液晶パネルを単独で容易に交換またはメンテナンスできる。
【００４９】
なお図示していないが、端面ＥｉとＥｊ部分に遮光性の黒い膜が形成されていてもよい。このようにすることにより、端面Ｅｉとインナープレート１２０とが接する部分、端面Ｅｊとインナープレート１４０とが接する部分において、バックプレート１１０の下に配置されたバックライト（図示せず）からの光がカバープレート１６０側に反射して漏れたりするのを防ぐことができるので、非常品位の高い液晶パネル装置となる。
実施の形態２
図４および図５は本発明の実施の形態２の液晶パネル装置の組立手順を説明する図である。図４（Ａ），（Ｂ），（Ｃ），（Ｄ）および図５（Ｅ），（Ｆ），（Ｇ），（Ｈ）は上面図であり、図４（ａ），（ｂ），（ｃ），（ｄ）および図５（ｅ），（ｆ），（ｇ），（ｈ）は、それぞれ図４（Ａ），（Ｂ），（Ｃ），（Ｄ）および図５（Ｅ），（Ｆ），（Ｇ），（Ｈ）の断面図である。これらの断面図の断面位置は、図４（Ａ）に示す点線位置である。
【００５０】
まず、図４（Ａ），（ａ）および図４（Ｂ），（ｂ）において、バックプレート２１０の前面にインナープレート２２０ｂおよび２２０ｄをそれぞれ固定する。バックプレート２１０およびインナープレート２２０ｂ，２２０ｄは、例えば透明アクリル板である。
【００５１】
バックプレート２１０には、４つのアライメントマーク２１３ａ，２１３ｂ，２１３ｃ，２１３ｄが設けられている。また、インナープレート２２０ｂ，２２０ｄには、それぞれアライメントマーク２２３ｂ，２２３ｄが設けられている。インナープレート２２０ｂ，２２０ｄは、アライメントマーク２２３ｂ，２２３ｄがバックプレート２１０のアライメントマーク２１３ｂ，２１３ｄにそれぞれ一致するように位置決めされ、それぞれ合計７本のネジ２２４によってバックプレート２１０に固定される。また、インナープレート２２０ｂと２２０ｄとは、対向するコーナー２２５ｂと２２５ｄの間に所定の間隔を設けて固定される。
【００５２】
次に、図４（Ｃ），（ｃ）において、インナープレート２２０ｂの右側の端面およびインナープレート２２０ｄの上側の端面に当接するようにして、バックプレート２１０の前面に液晶パネル２００ａを配置するとともに、インナープレート２２０ｂの下側の端面およびインナープレート２２０ｄの左側の端面に当接するようにして、バックプレート２１０の前面に液晶パネル２００ｃを配置する。
【００５３】
さらに、液晶パネル２００ａの右側にＴＣＰ２７０ａを取り付けるとともに、液晶パネル２００ｃの左側にＴＣＰ２７０ｃを取り付け、これらのＴＣＰ２７０ａ，２７０ｃをそれぞれ液晶パネル２００ａ，２００ｃに接続する。
【００５４】
液晶パネル２００ａ，２００ｃの対向するコーナーには、それぞれコーナー面取り２０６ａ，２０６ｃが施されている。このようにコーナー面取り２０６ａ，２０６ｃを施すことによって、液晶パネル２００ａと２００ｃの対向するコーナーを所定の間隔をもって配置し、これらのコーナーが接触して欠けないようにしている。
【００５５】
次に、図４（Ｄ），（ｄ）において、バックプレート２１０の前面に、インナープレート２３０ａｈおよび２３０ａｖを固定して液晶パネル２００ａを位置決めおよび固定するとともに、２３０ｃｈおよび２３０ｃｖを固定して液晶パネル２００ｃを位置決めおよび固定する。インナープレート２３０ａｈ，２３０ａｖ，２３０ｃｈ，２３０ｃｖは、例えば透明アクリル板である。
【００５６】
インナープレート２３０ａｈは、液晶パネル２００ａの右側の端面に当接して液晶パネル２００ａの左側の端面をインナープレート２２０ｂの端面に押圧するようにして、合計３本のネジ２３４によってバックプレート２１０に固定され、インナープレート２３０ａｖは、液晶パネル２００ａの上側の端面に当接して液晶パネル２００ａの下側の端面をインナープレート２２０ｄの端面に押圧するようにして、合計３本のネジ２３４によってバックプレート２１０に固定される。
【００５７】
同様に、インナープレート２３０ｃｈは、液晶パネル２００ｃの左側の端面に当接して液晶パネル２００ｃの右側の端面をインナープレート２２０ｄの端面に押圧するようにして、合計３本のネジ２３４によってバックプレート２１０に固定され、インナープレート２３０ｃｖは、液晶パネル２００ｃの下側の端面に当接して液晶パネル２００ｃの上側の端面をインナープレート２２０ｂの端面に押圧するようにして、合計３本のネジ２３４によってバックプレート２１０に固定される。
【００５８】
次に、図５（Ｅ），（ｅ）において、インナープレート２３０ａｈ，２３０ａｖおよび液晶パネル２００ａの前面にインナープレート２４０ａを固定するとともに、インナープレート２３０ｃｈ，２３０ｃｖおよび液晶パネル２００ｃの前面にインナープレート２４０ｃを固定する。インナープレート２４０ａ，２４０ｃは、例えば透明アクリル板である。
【００５９】
インナープレート２４０ａ，２４０ｃには、それぞれアライメントマーク２４３ａ，２４３ｃが設けられている。インナープレート２４０ａ，２４０ｃは、アライメントマーク２４３ａ，２４３ｃがバックプレート２１０のアライメントマーク２１３ａ，２１３ｃにそれぞれ一致するように位置決めされ、それぞれ合計７本のネジ２２４によってバックプレート２１０に固定される。また、インナープレート２４０ａと２４０ｃとは、対向するコーナー２４５ａと２４５ｃの間に所定の間隔を設けて固定される。
【００６０】
次に、図５（Ｆ），（ｆ）において、インナープレート２４０ａの左側の端面およびインナープレート２４０ｃの上側の端面に当接するようにして、インナープレート２２０ｂの前面に液晶パネル２００ｂを配置するとともに、インナープレート２４０ａの下側の端面およびインナープレート２４０ｃの右側の端面に当接するようにして、インナープレート２２０ｄの前面に液晶パネル２００ｄを配置する。
【００６１】
さらに、液晶パネル２００ｂの左側にＴＣＰ２７０ｂを取り付けるとともに、液晶パネル２００ｄの右側にＴＣＰ２７０ｄを取り付け、これらのＴＣＰ２７０ｂ，２７０ｄをそれぞれ液晶パネル２００ｂ，２００ｄに接続する。
【００６２】
液晶パネル２００ｂ，２００ｄの対向するコーナーには、それぞれコーナー面取り２０６ｂ，２０６ｄが施されている。このようにコーナー面取り２０６ｂ，２０６ｄを施すことによって、液晶パネル２００ｂと２００ｄの対向するコーナーを所定の間隔をもって配置し、これらのコーナーが接触して欠けないようにしている。
【００６３】
次に、図５（Ｇ），（ｇ）において、インナープレート２２０ｂの前面に、インナープレート２５０ｂｈおよび２５０ｂｖを固定して液晶パネル２００ｂを位置決めおよび固定するとともに、インナープレート２５０ｄｈおよび２５０ｄｖを固定して液晶パネル２００ｄを位置決めおよび固定する。インナープレート２５０ｂｈ，２５０ｂｖ，２５０ｄｈ，２５０ｄｖは、例えば透明アクリル板である。
【００６４】
インナープレート２５０ｂｈは、液晶パネル２００ｂの左側の端面に当接して液晶パネル２００ｂの右側の端面をインナープレート２４０ａの端面に押圧するようにして、合計３本のネジ２５４によってバックプレート２１０に固定され、インナープレート２５０ｂｖは、液晶パネル２００ｂの上側の端面に当接して液晶パネル２００ｂの下側の端面をインナープレート２４０ｃの端面に押圧するようにして、合計３本のネジ２３４によってバックプレート２１０に固定される。
【００６５】
同様に、インナープレート２５０ｄｈは、液晶パネル２００ｄの右側の端面に当接して液晶パネル２００ｄの左側の端面をインナープレート２４０ｃの端面に押圧するようにして、合計３本のネジ２３４によってバックプレート２１０に固定され、インナープレート２５０ｄｖは、液晶パネル２００ｄの下側の端面に当接して液晶パネル２００ｄの上側の端面をインナープレート２４０ａの端面に押圧するようにして、合計３本のネジ２３４によってバックプレート２１０に固定される。
【００６６】
次に、図５（Ｈ），（ｈ）において、液晶パネル２００ｂ，２００ｄおよびインナープレート２４０ａ，２４０ｃの前面にカバープレート２６０を固定する。カバープレート２６０は、例えば透明アクリル板である。このカバープレート２６０は、合計２４本のネジ２６４によってバックプレート２１０に固定される。
【００６７】
以上の組立手順によって、４枚の液晶パネル２００ａ，２００ｂ，２００ｃ，２００ｄをインナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２３０ｄｖによって２段に配置した実施の形態２の液晶パネル装置が完成する。
【００６８】
このように実施の形態２では、上記実施の形態１と同様に、１段目の２枚の液晶パネル２００ａ，２００ｃは第１象限，第３象限にそれぞれ配置され、２段目の液晶パネル２００ｂ，２００ｄは、第２象限，第４象限にそれぞれ配置されている。
【００６９】
また、１段目のインナープレートは互いに分離された複数枚のインナープレート２２０ｂ，２２０ｄ，２３０ａｈ，２３０ａｖ，２３０ｃｈ，２３０ｃｖで構成され、２段目のインナープレートも互いに分離された複数枚のインナープレート２４０ａ，２４０ｃ，２５０ｂｈ，２５０ｂｖ，２５０ｄｈ，２５０ｄｖで構成されている。
【００７０】
従って、上記実施の形態１と同様に、１段目の２枚の液晶パネル２００ａと２００ｃは対角位置に配置され、２段目の２枚の液晶パネル２００ｂと２００ｄも対角位置に配置されている。また、４枚の液晶パネル２００ａ，２００ｂ，２００ｃ，２００ｄの表示領域は互いに重ならず、１段目の２枚の液晶パネル２００ａ，２００ｃの表示領域は２段目のインナープレート２４０ａ，２４０ｃとそれぞれ重なり、２段目の２枚の液晶パネル２００ｂ，２００ｄの表示領域は１段目のインナープレート２２０ｂ，２２０ｄとそれぞれ重なっている。
【００７１】
この実施の形態２では、上記１段目のインナープレートにおいて、インナープレート２２０ｂ，２２０ｄは、第２象限，第４象限にそれぞれ配置されており、第１象限，第３象限に配置される１段目の液晶パネル２００ａ，２００ｃの位置基準のためのプレート部品である。インナープレート２３０ａｈ，２３０ａｖ，２３０ｃｈ，２３０ｃｖは、液晶パネル２００ａ，２００ｃを液晶パネル装置の周辺から中心に押圧して位置決めおよび固定するためのプレート部品である。
【００７２】
同様に、上記２段目のインナープレートにおいて、インナープレート２４０ａ，２４０ｃは、第１象限，第３象限にそれぞれ配置されており、第２象限，第４象限に配置される２段目の液晶パネル２００ｂ，２００ｄの位置基準のためのプレート部品である。インナープレート２５０ｂｈ，２５０ｂｖ，２５０ｄｈ，２５０ｄｖは、液晶パネル２００ｂ，２００ｄを液晶パネル装置の周辺から中心に押圧して位置決めおよび固定するためのプレート部品である。
【００７３】
１段目の液晶パネル２００ａの４つの端面は、インナープレート２２０ｂおよび２２０ｄの端面をそれぞれ基準にしてインナープレート２３０ａｈおよび２３０ａｖにそれぞれ押圧されて位置決めおよび固定され、この液晶パネル２００ａの背面はバックプレート２１０によって位置決めおよび固定される。同様に、１段目の液晶パネル２００ｃの４つの端面はインナープレート２２０ｂおよび２２０ｄの端面をそれぞれ基準にしてインナープレート２３０ｃｈおよび２３０ｃｖにそれぞれ押圧されて位置決めおよび固定され、この液晶パネル２００ｃの背面はバックプレート２１０によって位置決めおよび固定される。
【００７４】
また、２段目の液晶パネル２００ｂの４つの端面は、インナープレート２４０ａおよび２４０ｃの端面をそれぞれ基準にしてインナープレート２５０ｂｈおよび２５０ｂｖにそれぞれ押圧されて位置決めおよび固定され、この液晶パネル２００ｂの背面はインナープレート２２０ｂによって位置決めおよび固定される。同様に、２段目の液晶パネル２００ｃの４つの端面は、インナープレート２２０ｂおよび２２０ｄの端面をそれぞれ基準にしてインナープレート２５０ｄｈおよび２５０ｄｖにそれぞれ押圧されて位置決めおよび固定され、この液晶パネル２００ｄの背面はインナープレート２４０ｄによって位置決めおよび固定される。
【００７５】
インナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２５０ｄｖは例えばアクリル板であり、アクリル板はその端面を高精度に加工することが可能である。また、アクリル板の厚さも、高精度に制御することが可能である。さらに、バックプレート２１０と１段目のインナープレート２２０ｂ，２２０ｄ、およびバックプレート２１０と２段目のインナープレート２４０ａ，２４０ｃは、例えばそれぞれに設けたアライメントマーク２１３ｂ，２１３ｄとアライメントマーク２２３ｂ，２２３ｄ、およびアライメントマーク２１３ａ，２１３ｃとアライメントマーク２４３ａ，２４３ｃによって、それぞれ高精度に位置決めおよび固定することが可能である。
【００７６】
このように、４枚の液晶パネル２００ａ，２００ｂ，２００ｃ，２００ｄを高精度に加工可能なインナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２５０ｄｖによって２段に配置することにより、液晶パネル２００ａ，２００ｂ，２００ｃ，２００ｄを高精度に位置決めおよび固定することができる。
【００７７】
さらに、この実施の形態２では、従来技術のように継ぎ目において液晶パネルの端面を近接対向してあるいは互いに接触して配置するのではなく、上記液晶パネルの２段配置によって、１段目の液晶パネル２００ａは、バックプレート２１０、１段目のインナープレート２２０ｂ，２２０ｄ，２３０ａｈ，２３０ａｖ、および２段目のインナープレート２４０ａには接触するが、継ぎ目において他の液晶パネル２００ｂ，２００ｃ，２００ｄには接触せず、２段目の液晶パネル２００ｂは、１段目のインナープレート２２０ｂ、２段目のインナープレート２４０ａ，２４０ｃ，２５０ｂｈ，２５０ｂｖ、およびカバープレート２６０には接触するが、継ぎ目において他の液晶パネル２００ａ，２００ｃ，２００ｄには接触しない。１段目の液晶パネル２００ｃおよび２段目の液晶パネル２００ｄも同様に他の液晶パネルには接触しない。
【００７８】
このように、４枚の液晶パネル２００ａ，２００ｂ，２００ｃ，２００ｄをインナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２５０ｄｖによってそれぞれ他の液晶パネルと接触しないように２段で配置することにより、接触による液晶パネルの欠けを防止できる。
【００７９】
また、この実施の形態２では、従来技術のように継ぎ目において液晶パネルの端面と端面を接着することなく、また液晶パネルをバックプレートまたはカバープレートに接着することもなく、４枚の液晶パネル２００ａ，２００ｂ，２００ｃ，２００ｄは、バックプレート２１０、インナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２５０ｄｖ、およびカバープレート２６０のみによって位置決めおよび固定されている。そして、これらのバックプレート２１０、インナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２５０ｄｖ、およびカバープレート２６０は、ネジ止めによって相互に位置決めおよび固定されている。
【００８０】
このように、４枚の液晶パネル２００ａ，２００ｂ，２００ｃ，２００ｄを
バックプレート２１０、インナープレート２２０ｂ，２２０ｄ，２３０ａｈ，２３０ａｖ，２３０ｃｈ，２３０ｃｖ，２４０ａ，２４０ｃ，２５０ｂｈ，２５０ｂｖ，２５０ｄｈ，２５０ｄｖ、およびカバープレート２６０のみによって固定することにより、ネジ止めを外すだけで液晶パネル２００ａ，２００ｂ，２００ｃ，２００ｄを単独で容易に取り外すことができるので、容易に液晶パネルの交換やメンテナンスができる。
【００８１】
図６は本発明の実施の形態２の液晶パネル装置においての液晶パネルの継ぎ目の断面構造図である。図６において、図３あるいは図４または図５と同じものには同じ符号を付してある。
【００８２】
図６において、１段目の液晶パネル２００ｉは、図４（Ｃ），（ｃ）の１段目の液晶パネル２００ａまたは２００ｃであり、２段目の液晶パネル２００ｊは、図５（Ｆ），（ｆ）の２段目の液晶パネル２００ｂまたは２００ｄである。また、１段目のインナープレート２２０は、図４（Ｂ），（ｂ）の１段目のインナープレート２２０ｂまたは２２０ｄであり、２段目のインナープレート２４０は、図５（Ｅ），（ｅ）の２段目のインナープレート２４０ａまたは２４０ｃである。
【００８３】
液晶パネル２００ｉは、背面ガラス基板ＡＲｉと、前面ガラス基板ＣＦｉと、背面偏光板Ｂｉと、前面偏光板Ｆｉと、液晶ＬＣｉと、接着シール材ＳＬｉとを備えて構成されており、液晶パネル２００ｊは、背面ガラス基板ＡＲｊと、前面ガラス基板ＣＦｊと、背面偏光板Ｂｊと、前面偏光板Ｆｊと、液晶ＬＣｊと、接着シール材ＳＬｊとを備えて構成されている。
【００８４】
これらの液晶パネル２００ｉ，２００ｊ自体の構成は、上記実施の形態１の液晶パネル１００ｉ，１００ｊ（図３参照）と同様である。
【００８５】
この実施の形態２では、１段目の液晶パネル２００ｉと２段目の液晶パネル２００ｊは、インナープレート２２０，２４０によって、１段目の非表示領域ＮＥｉと２段目の非表示領域ＮＥｊとが全幅領域で重なるように、厚さ方向と垂直な方向に配置および固定されている。１段目の液晶パネル２００ｉの端面Ｅｉは２段目の非表示領域ＮＥｊの表示領域ＤＥｊとの境界に位置しており、２段目の液晶パネル２００ｊの端面Ｅｊは１段目の非表示領域ＮＥｉの表示領域ＤＥｉとの境界に位置している。
【００８６】
また、実施の形態２では、１段目の前面ガラス基板ＣＦｉと２段目の背面ガラス基板ＡＲｊのみならず、１段目の非表示領域ＮＥｉ内の前面偏光板Ｆｉの一部幅領域と２段目の非表示領域ＮＥｊ内の背面偏光板Ｂｊの一部幅領域とが重なっており、前面偏光板Ｆｉの前面と背面偏光板Ｂｊの背面とが略面位置になっている。
【００８７】
従って、この実施の形態２では、１段目の液晶パネル２００ｉと２段目の液晶パネル２００ｊの視差は、１段目の前面ガラス基板ＣＦｉおよび前面偏光板Ｆｉならびに２段目の背面ガラス基板ＡＲｊならびに背面偏光板Ｂｊの合計の厚さ、つまり偏光板を含めた液晶パネル１枚の厚さと略同じである。また、継ぎ目の非表示領域の幅は、液晶パネルの非表示領域の幅と略同じである。
【００８８】
以上のように実施の形態２によれば、上記実施の形態１と同様に、それぞれの液晶パネルを高精度に位置決めおよび固定でき、液晶パネルの欠けを防止でき、任意の液晶パネルを単独で容易に交換またはメンテナンスできる。さらに、継ぎ目の非表示領域の幅を上記実施の形態１の略半分にできる。
【００８９】
なお、上記実施の形態２の液晶パネル装置を上記実施の形態１の組立手順（図１参照）によって組み立てることも可能であり、逆に上記実施の形態１の液晶パネル装置を上記実施の形態２の組立手順（図４参照）によって組み立てることも可能である。
実施の形態３
本発明の実施の形態３の液晶パネル装置は、上記実施の形態１の組立手順（図１参照）または上記実施の形態２の組立手順（図４参照）によって組み立てられるものであるが、液晶パネル自体の構造および液晶パネルの継ぎ目構造が上記実施の形態１および上記実施の形態２とは異なる。
【００９０】
図７は本発明の実施の形態３の液晶パネル装置においての液晶パネルの継ぎ目の断面構造図である。図７において、図３または図６と同じものには同じ符号を付してある。
【００９１】
図７において、１段目の液晶パネル３００ｉは、図１の１段目の液晶パネル１００ａまたは１００ｃあるいは図４の１段目の液晶パネル２００ａまたは２００ｃに相当し、２段目の液晶パネル３００ｊは、図１の２段目の液晶パネル１００ｂまたは１００ｄあるいは図４の２段目の液晶パネル２００ｂまたは２００ｄに相当する。また、１段目のインナープレート３２０は、図１の１段目のインナープレート１２０あるいは図４の１段目のインナープレート２２０ｂまたは２２０ｄに相当し、２段目のインナープレート３４０は、図１の２段目のインナープレート１４０あるいは図４の２段目のインナープレート２４０ａまたは２４０ｃに相当する。また、バックプレート３１０およびカバープレート３６０は、それぞれ図１のバックプレート１１０およびカバープレート１６０あるいは図４のバックプレート２１０およびカバープレート２６０に相当する。
【００９２】
液晶パネル３００ｉは、背面ガラス基板ＡＲｉと、前面ガラス基板ＣＦｉと、背面偏光板Ｂｉと、前面偏光板Ｆｉと、液晶ＬＣｉと、接着シール材ＳＬｉとを備えて構成されており、液晶パネル３００ｊは、背面ガラス基板ＡＲｊと、前面ガラス基板ＣＦｊと、背面偏光板Ｂｊと、前面偏光板Ｆｊと、液晶ＬＣｊと、接着シール材ＳＬｊとを備えて構成されている。
【００９３】
液晶パネル３００ｉは、上記実施の形態２の液晶パネル２００ｉ（図６参照）において、非表示領域ＮＥｉ内の前面偏光板Ｆｉを設けない幅領域を広くしたものである。同様に、液晶パネル３００ｊは、上記実施の形態２の液晶パネル２００ｊ（図６参照）において、非表示領域ＮＥｊ内の背面偏光板Ｂｊを設けない幅領域を広くしたものである。
【００９４】
この実施の形態３では、１段目の液晶パネル３００ｉと２段目の液晶パネル３００ｊは、インナープレート３２０，３４０によって、１段目の非表示領域ＮＥｉと２段目の非表示領域ＮＥｊとが一部幅領域で重なるように、厚さ方向と垂直な方向に配置および固定されている。１段目の液晶パネル３００ｉの端面Ｅｉは２段目の非表示領域ＮＥｊの途中に位置しており、２段目の液晶パネル３００ｊの端面Ｅｊは１段目の非表示領域ＮＥｉの途中に位置している。
【００９５】
また、この実施の形態３では、１段目の前面偏光板Ｆｉと２段目の背面偏光板Ｂｊは重なっておらず、前面偏光板Ｆｉの端面は２段目の液晶パネル３００ｊの端面Ｅｊに対向し、背面偏光板Ｂｊの端面は１段目の液晶パネル３００ｉの端面Ｅｉに対向しており、１段目の非表示領域ＮＥｉ内の前面ガラス基板ＣＦｉの前面偏光板Ｆｉが設けられていない一部幅領域と２段目の非表示領域非表示領域ＮＥｊ内の背面ガラス基板ＡＲｊの背面偏光板Ｆｉが設けられていない一部幅領域とが重なっており、前面ガラス基板ＣＦｉの前面と背面ガラス基板ＡＲｊの背面とが略面位置になっている。
【００９６】
従って、この実施の形態３では、１段目の液晶パネル３００ｉと２段目の液晶パネル３００ｊの視差は、１段目の前面ガラス基板ＣＦｉおよび２段目の背面ガラス基板ＡＲｊの合計の厚さ、つまり偏光板を除いた液晶パネル１枚の厚さと略同じである。また、継ぎ目の非表示領域の幅は、液晶パネルの非表示領域の幅よりは広いが、液晶パネルの非表示領域の幅の２倍よりは狭い。
【００９７】
以上のように実施の形態３によれば、上記実施の形態１および２と同様に、それぞれの液晶パネルを高精度に位置決めおよび固定でき、液晶パネルの欠けを防止でき、任意の液晶パネルを単独で容易に交換またはメンテナンスできる。さらに、継ぎ目の非表示領域の幅を上記実施の形態１よりも狭くでき、１段目と２段目の液晶パネルの視差を上記実施の形態２よりも小さくできる。
実施の形態４
本発明の実施の形態４の液晶パネル装置は、上記実施の形態１の組立手順（図１参照）または上記実施の形態２の組立手順（図４参照）によって組み立てられるものであるが、液晶パネル自体の構造および液晶パネルの継ぎ目構造が上記実施の形態１または上記実施の形態２とは異なり、液晶パネルの継ぎ目構造が上記実施の形態３とは異なる。
【００９８】
図８は本発明の実施の形態４の液晶パネル装置においての液晶パネルの継ぎ目の断面構造図である。図８において、図３または図６と同じものには同じ符号を付してある。
【００９９】
図８において、１段目の液晶パネル４００ｉは、図１の１段目の液晶パネル１００ａまたは１００ｃあるいは図４の１段目の液晶パネル２００ａまたは２００ｃに相当し、２段目の液晶パネル４００ｊは、図１の２段目の液晶パネル１００ｂまたは１００ｄあるいは図４の２段目の液晶パネル２００ｂまたは２００ｄに相当する。また、１段目のインナープレート４２０は、図１の１段目のインナープレート１２０あるいは図４の１段目のインナープレート２２０ｂまたは２２０ｄに相当し、２段目のインナープレート４４０は、図１の２段目のインナープレート１４０あるいは図４の２段目のインナープレート２４０ａまたは２４０ｃに相当する。また、バックプレート４１０およびカバープレート４６０は、それぞれ図１のバックプレート１１０およびカバープレート１６０あるいは図４のバックプレート２１０およびカバープレート２６０に相当する。
【０１００】
液晶パネル４００ｉは、背面ガラス基板ＡＲｉと、前面ガラス基板ＣＦｉと、背面偏光板Ｂｉと、前面偏光板Ｆｉと、液晶ＬＣｉと、接着シール材ＳＬｉとを備えて構成されており、液晶パネル４００ｊは、背面ガラス基板ＡＲｊと、前面ガラス基板ＣＦｊと、背面偏光板Ｂｊと、前面偏光板Ｆｊと、液晶ＬＣｊと、接着シール材ＳＬｊとを備えて構成されている。
【０１０１】
これらの液晶パネル４００ｉ，４００ｊ自体の構成は、上記実施の形態３の液晶パネル３００ｉ，３００ｊ（図７参照）と同様である。
【０１０２】
この実施の形態４では、１段目の液晶パネル４００ｉと２段目の液晶パネル４００ｊは、インナープレート４２０，４４０によって、１段目の非表示領域ＮＥｉと２段目の非表示領域ＮＥｊとが全幅領域で重なるように、厚さ方向と垂直な方向に配置および固定されている。１段目の液晶パネル４００ｉの端面Ｅｉは２段目の非表示領域ＮＥｊの表示領域ＤＥｊとの境界に位置しており、２段目の液晶パネル４００ｊの端面Ｅｊは１段目の非表示領域ＮＥｉの表示領域ＤＥｉとの境界に位置している。
【０１０３】
また、この実施の形態４では、１段目の前面偏光板Ｆｉと２段目の背面偏光板Ｂｊは重なっておらず、前面偏光板Ｆｉの端面と背面偏光板Ｂｊの端面とが対向しており、１段目の非表示領域ＮＥｉ内の前面ガラス基板ＣＦｉの前面偏光板Ｆｉが設けられていない一部幅領域と２段目の非表示領域ＮＥｊ内の背面偏光板Ｆｉとが重なるとともに、１段目の非表示領域ＮＥｉ内の前面偏光板Ｆｉと２段目の非表示領域ＮＥｉ内の背面ガラス基板ＡＲｊの背面偏光板Ｂｊが設けられていない一部幅領域とが重なっており、前面ガラス基板ＣＦｉの前面と背面偏光板Ｂｊの背面とが略面位置になっている。
【０１０４】
従って、この実施の形態４では、１段目の液晶パネル４００ｉと２段目の液晶パネル４００ｊの視差は、１段目の前面ガラス基板ＣＦｉならびに２段目の背面ガラス基板ＡＲｊおよび背面偏光板Ｂｊの合計の厚さと略同じであって、偏光板を除いた液晶パネル１枚の厚さよりも大きくなるが、偏光板を含んだ液晶パネル１枚の厚さよりは小さくなる。また、継ぎ目の非表示領域の幅は、液晶パネルの非表示領域の幅と略同じである。
【０１０５】
以上のように実施の形態４によれば、上記実施の形態１から３までと同様に、それぞれの液晶パネルを高精度に位置決めおよび固定でき、液晶パネルの欠けを防止でき、任意の液晶パネルを単独で容易に交換またはメンテナンスできる。さらに、１段目と２段目の液晶パネルの視差を上記実施の形態２よりも小さくでき、継ぎ目の非表示領域の幅を上記実施の形態３よりも狭くできる。
【０１０６】
なお、上記実施の形態４において、１段目の前面偏光板Ｆｉの厚さが２段目の背面偏光板Ｂｊと同じかそれよりも厚ければ、前面偏光板Ｆｉの前面と背面ガラス基板ＡＲｊの背面とが略面位置になる。また、非表示領域ＮＥｉ内での前面偏光板Ｆｉの形成交差および非表示領域ＮＥｊ内での背面偏光板Ｆｊの形成交差を考慮し、接着シール材ＳＬｉ，ＳＬｊの幅を広げて非表示領域ＮＥｉ，ＮＥｊの幅を広げ、１段目の非表示領域ＮＥｉと２段目の非表示領域ＮＥｊとが一部幅領域で重なるようにすることも可能である。
実施の形態５
本発明の実施の形態５の液晶パネル装置は、上記実施の形態１の組立手順（図１参照）または上記実施の形態２の組立手順（図４参照）によって組み立てられるものであるが、液晶パネル自体の構造および液晶パネルの継ぎ目構造が上記実施の形態１から上記実施の形態４までとは異なる。
【０１０７】
図９は本発明の実施の形態５の液晶パネル装置においての液晶パネルの継ぎ目の断面構造図である。図９において、図３または図６と同じものには同じ符号を付してある。
【０１０８】
図９において、１段目の液晶パネル５００ｉは、図１の１段目の液晶パネル１００ａまたは１００ｃあるいは図４の１段目の液晶パネル２００ａまたは２００ｃに相当し、２段目の液晶パネル５００ｊは、図１の２段目の液晶パネル１００ｂまたは１００ｄあるいは図４の２段目の液晶パネル２００ｂまたは２００ｄに相当する。また、１段目のインナープレート５２０は、図１の１段目のインナープレート１２０あるいは図４の１段目のインナープレート２２０ｂまたは２２０ｄに相当し、２段目のインナープレート５４０は、図１の２段目のインナープレート１４０あるいは図４の２段目のインナープレート２４０ａまたは２４０ｃに相当する。また、バックプレート５１０およびカバープレート５６０は、それぞれ図１のバックプレート１１０およびカバープレート１６０あるいは図４のバックプレート２１０およびカバープレート２６０に相当する。
【０１０９】
液晶パネル５００ｉは、背面ガラス基板ＡＲｉと、前面ガラス基板ＣＦｉと、背面偏光板Ｂｉと、前面偏光板Ｆｉと、液晶ＬＣｉと、接着シール材ＳＬｉとを備えて構成されており、液晶パネル５００ｊは、背面ガラス基板ＡＲｊと、前面ガラス基板ＣＦｊと、背面偏光板Ｂｊと、前面偏光板Ｆｊと、液晶ＬＣｊと、接着シール材ＳＬｊとを備えて構成されている。
【０１１０】
液晶パネル５００ｉは、上記実施の形態３の液晶パネル３００ｉ（図７参照）において、前面ガラス基板ＣＦｉにエッジ面取りＥＣｉを施したものである。同様に、液晶パネル５００ｊは、上記実施の形態３の液晶パネル３００ｊ（図７参照）において、背面ガラス基板ＡＲｊにエッジ面取りＥＣｊを施したものである。エッジ面取りＥＣｉは、前面ガラス基板ＣＦｉの前面と端面Ｅｉによって形成されるエッジに設けられており、エッジ面取りＥＣｊは、背面ガラス基板ＡＲｊの背面と端面Ｅｊによって形成されるエッジに設けられている。
【０１１１】
この実施の形態５では、１段目の液晶パネル５００ｉと２段目の液晶パネル５００ｊは、インナープレート５２０，５４０によって、１段目の非表示領域ＮＥｉと２段目の非表示領域ＮＥｊとが一部幅領域で重なるように、厚さ方向と垂直な方向に配置および固定されている。１段目の液晶パネル３００ｉの端面Ｅｉは２段目の非表示領域ＮＥｊの途中に位置しており、２段目の液晶パネル３００ｊの端面Ｅｊは１段目の非表示領域ＮＥｉの途中に位置している。
【０１１２】
また、この実施の形態５では、１段目の前面偏光板Ｆｉと２段目の背面偏光板Ｂｊは重なっておらず、前面偏光板Ｆｉの端面は背面偏光板Ｂｊの端面および背面ガラス基板ＡＲｊのエッジ面取りＥＣｊに対向し、背面偏光板Ｂｊの端面は前面偏光板Ｆｉの端面および前面ガラス基板ＣＦｉのエッジ面取りＥＣｉに対向している。
【０１１３】
そして、この実施の形態５では、エッジ面取りＥＣｉ，ＥＣｊを設けたことによって、１段目の前面偏光板Ｆｉの前面を２段目の背面ガラス基板ＡＲｊの背面よりも高い位置（液晶パネル装置の前面側）に配置し、２段目の前面偏光板Ｂｊの背面を１段目の前面ガラス基板ＣＦｉの前面よりも低い位置（液晶パネル装置の背面側）に配置できる。
【０１１４】
従って、この実施の形態５では、１段目の液晶パネル５００ｉと２段目の液晶パネル５００ｊの視差は、前面偏光板および背面偏光板を除いた液晶パネル１枚の厚さよりも大きくなるが、前面偏光板または背面偏光板のいずれかを含んだ液晶パネル１枚の厚さよりは小さくなる。また、継ぎ目の非表示領域の幅は、液晶パネルの非表示領域の幅よりは広いが、液晶パネルの非表示領域の幅の２倍よりは狭い。
【０１１５】
さらに、この実施の形態５では、エッジ面取りＥＣｉは背面ガラス基板ＡＲｉに達しないように設けられており、エッジ面取りＥＣｊは前面ガラス基板ＣＦｊに達しないように設けられている。これにより、端面Ｅｉ，Ｅｊを確保して、液晶パネル５００ｉ，５００ｊを交換やメンテナンスなどにおいて単独でハンドリングするときに欠けないようにしている。
【０１１６】
また、この実施の形態５では、エッジ面取りＥＣｉは接着シール材ＳＬｉに達しないように前面ガラス基板ＣＦｉにのみ設けられており、エッジ面取りＥＣｊは接着シール材ＳＬｊに達しないように背面ガラス基板ＡＲｊにのみ設けられている。このように接着シール材ＳＬｉ，ＳＬｊに達しないようにエッジ面取りＥＣｉ，ＥＣｊを施すことにより、十分な接着力とシール性能を確保できるようにしている。
【０１１７】
以上のように実施の形態５によれば、上記実施の形態１から４までと同様に、それぞれの液晶パネルを高精度に位置決めおよび固定でき、液晶パネルの欠けを防止でき、任意の液晶パネルを単独で容易に交換またはメンテナンスできる。さらに、エッジ面取りＥＣｉ，ＥＣｊを設けたことにより、１段目と２段目の液晶パネルの視差を上記実施の形態４よりも小さくできる。
【０１１８】
なお、上記実施の形態５において、上記実施の形態４と同様に、１段目の非表示領域ＮＥｉと２段目の非表示領域ＮＥｊとが全幅領域で重なるようにすることも可能である。この場合には、継ぎ目の非表示領域の幅は、液晶パネルの非表示領域の幅と略同じになる。
【０１１９】
また、上記実施の形態５において、上記実施の形態３と同様に、前面偏光板Ｆｉの端面を２段目の液晶パネル５００ｊの端面Ｅｊに対向させ、背面偏光板Ｂｊの端面を１段目の液晶パネル５００ｉの端面Ｅｉに対向させて配置することも可能である。この場合には、エッジ面取りＥＣｉ，ＥＣｊによって、２段目の背面ガラス基板ＡＲｊの背面を１段目の前面ガラス基板ＣＦｉの前面よりも低い位置（液晶パネル装置の背面側）に配置できるので、１段目の液晶パネル５００ｉと２段目の液晶パネル５００ｊの視差を、背面ガラス基板ＣＦｉおよび前面ガラス基板ＡＲｊの合計の厚さよりも、つまり偏光板を除いた液晶パネル１枚の厚さよりも小さくできる。従って、継ぎ目の非表示領域の幅を上記実施の形態３と略同じにしたまま、視差を上記実施の形態３よりも小さくできる。
【０１２０】
【発明の効果】
以上説明したように本発明によれば、それぞれの液晶パネルを高精度に位置決めおよび固定でき、液晶パネルの欠けを防止でき、任意の液晶パネルを単独で容易に交換またはメンテナンスできるという効果がある。
【図面の簡単な説明】
【図１】本発明の実施の形態１の液晶パネル装置の組立手順を説明する図である（その１）。
【図２】本発明の実施の形態１の液晶パネル装置の組立手順を説明する図である（その２）。
【図３】本発明の実施の形態１の液晶パネル装置においての液晶パネルの継ぎ目の断面構造図である。
【図４】本発明の実施の形態２の液晶パネル装置の組立手順を説明する図である（その１）。
【図５】本発明の実施の形態２の液晶パネル装置の組立手順を説明する図である（その２）。
【図６】本発明の実施の形態２の液晶パネル装置においての液晶パネルの継ぎ目の断面構造図である。
【図７】本発明の実施の形態３の液晶パネル装置においての液晶パネルの継ぎ目の断面構造図である。
【図８】本発明の実施の形態４の液晶パネル装置においての液晶パネルの継ぎ目の断面構造図である。
【図９】本発明の実施の形態５の液晶パネル装置においての液晶パネルの継ぎ目の断面構造図である。
【図１０】従来の液晶パネル装置においての液晶パネルの継ぎ目の断面構造図である。
【符号の説明】
１００，２００，３００，４００，５００　液晶パネル、　１１０，２１０，３１０，４１０，５１０　バックプレート、　１２０，１４０，２２０，２３０，２４０，２５０，３２０，３４０，４２０，４４０，５２０，５４０　インナープレート、　１２１，１２２　開口部、　１２３，１４３，２１３，２２３，２４３　アライメントマーク、　１６０，２６０　カバープレート、　１７０，２７０　ＴＣＰ（Ｔａｐｅ　Ｃａｒｒｉｅｒ　Ｐａｃｋａｇｅ）。
【図１】
2004117539.tif 000003
【図２】
2004117539.tif 000004
【図３】
2004117539.tif 000005
【図４】
2004117539.tif 000006
【図５】
2004117539.tif 000007
【図６】
2004117539.tif 000008
【図７】
2004117539.tif 000009
【図８】
2004117539.tif 000010
【図９】
2004117539.tif 000011
【図１０】
2004117539.tif 000012